(57)【特許請求の範囲】
【請求項１】
界磁にプラスチックマグネットが用いられている電動機の回転子の製造方法において、
アルミ材又はステンレス材からなり、ラジアル方向に貫かれた複数個の透孔が設けられた筒状の飛散防止環を構成し、この飛散防止環がプラスチックマグネットの外周に固着されるように、飛散防止環を予めプラスチックマグネット射出成形型に挿入し、その後、この射出成形型に設けたピンゲートから樹脂を流し込み、プラスチックマグネットを成形したことを特徴とする電動機用回転子の製造方法。
【請求項２】
界磁にプラスチックマグネットが用いられている電動機の回転子の製造方法において、
アルミ材又はステンレス材からなり、内周面に複数個の凹凸が設けられた筒状の飛散防止環を構成し、この飛散防止環がプラスチックマグネットの外周に固着されるように、飛散防止環を予めプラスチックマグネット射出成形型に挿入し、その後、この射出成形型に設けたピンゲートから樹脂を流し込み、プラスチックマグネットを成形したことを特徴とする電動機用回転子の製造方法。
【請求項３】
界磁にプラスチックマグネットが用いられる電動機の回転子の製造方法において、
ガラス繊維又は炭素繊維等の耐熱性及び耐強度性の繊維材で筒状布を形成し、
この筒状布が、プラスチックマグネットの外周に固着されるように、筒状布を予めプラスチックマグネット射出成形型に挿入し、その後、この射出成形型に設けたピンゲートから樹脂を流し込み、プラスチックマグネットを成形したことを特徴とする電動機用回転子の製造方法。
【発明の詳細な説明】
【０００１】
【発明の属する技術分野】
界磁にプラスチックマグネットが用いられている高速回転用の電動機の回転子に関する。
【０００２】
【従来の技術】
高速回転用の電動機において、遠心力により回転子に取り付けてあるマグネットが飛散しないように、インナーロータ型の回転子であれば、マグネットの外周に筒状の飛散防止用環を取り付けて対応している。また、筒状のプラスチックマグネットを使用すれば、通常、飛散防止用環は必要ない。しかし、マグネットの磁力を強めるために、プラスチックマグネット内に含まれる磁粉の量を増やすと、結合力が弱まり、飛散防止用環が必要になる場合がある。
【０００３】
この従来の電動機の回転子を図５および図６を用いて説明する。図５は、従来における飛散防止環を回転子に取り付ける際の説明をした斜視図である。図６は、飛散防止環の取り付け固定後の飛散防止環とプラスチックマグネットとの結合部の拡大側断面図である。
【０００４】
図５において、回転子１１は、筒状のプラスチックマグネット１２と、このプラスチックマグネット１２の内周部に固着された筒状の回転子ヨーク１３と、この回転子ヨーク１３の内周部に固着されたシャフト１４で形成されている。
【０００５】
そして、プラスチックマグネット１２に着磁を施した後、プラスチックマグネット１２の外周を、筒状の飛散防止環１５で覆い固定する。
【０００６】
飛散防止環１５は、通常、非磁性体の金属で形成されている。そして、飛散防止環１５の軽量化、あるいは材料の少量化のために、任意の箇所に複数個の透孔１６が設けられている。
【０００７】
図６において、飛散防止環１５の軸長寸法は、プラスチックマグネット１２の軸長寸法より長く形成されており、飛散防止環１５をプラスチックマグネット１２の外周面に配設した後、飛散防止環１５の両端部を内周側に、かつプラスチックマグネット１２の表面に沿うように折り曲げて、飛散防止環１５をプラスチックマグネット１２に固定する。
【０００８】
【発明が解決しようとする課題】
以上のように、従来の電動機の回転子において、プラスチックマグネットの外周面に飛散防止環を取り付け固定する際、飛散防止環の両端を折り曲げて固定する作業が必要であった。
【０００９】
また、飛散防止環をプラスチックマグネットの外周にスムーズに挿入させるため、飛散防止環の内周径は、プラスチックマグネットの外周径よりも若干大きくする必要があった。すなわち、飛散防止環の径が大きくすると、プラスチックマグネットの外周面と固定子の内周面との間のエアギャップが広くなり、モータ効率のダウンの一因となることがあった。
【００１０】
【課題を解決するための手段】
そこで、本発明によれば、界磁にプラスチックマグネットが用いられている電動機の回転子の製造方法において、アルミ材又はステンレス材からなり、ラジアル方向に貫かれた複数個の透孔が設けられた筒状の飛散防止環を構成し、この飛散防止環がプラスチックマグネットの外周に固着されるように、飛散防止環を予めプラスチックマグネット射出成形型に挿入し、その後、この射出成形型に設けたピンゲートから樹脂を流し込み、プラスチックマグネットを成形した電動機用回転子、あるいは、前記飛散防止環は、内周面に複数個の凹凸が設けられていることを特徴とする電動機用回転子の製造方法を提供する。
【００１１】
または、界磁にプラスチックマグネットが用いられる電動機の回転子の製造方法において、ガラス繊維又は炭素繊維等の耐熱性及び耐強度性の繊維材で筒状布を形成し、この筒状布が、プラスチックマグネットの外周に固着されるように、筒状布を予めプラスチックマグネット射出成形型に挿入し、その後、この射出成形型に設けたピンゲートから樹脂を流し込み、プラスチックマグネットを成形したことを特徴とする電動機用回転子の製造方法を提供する。
【００１２】
【作用】
飛散防止環を射出成形型に挿入した後、この射出成形型でプラスチックマグネットを形成する。このとき、飛散防止環がプラスチックマグネットの外周面を覆うように射出成形型に挿入する。
【００１３】
これにより、飛散防止環の外周径の寸法が成形型で決まり、寸法精度を向上させられる。さらに、飛散防止環とプラスチックマグネットとが絡み合って、強力に結合されるため、飛散防止環とプラスチックマグネットとの取付固定作業が不必要となる。
【００１４】
【発明の実施の形態】
本発明における実施例を図１〜図４を用いて説明する。図１は、飛散防止環を射出成形型に挿入する際の側断面図である。図２は、図１の飛散防止環の挿入後の射出成形型の側断面図である。図３は、本発明におけるプラスチックマグネットと飛散防止環との結合部の拡大側断面図である。図４は、図３のプラスチックマグネットを使用した回転子の斜視図である。
【００１５】
図１において、飛散防止環１は、前述した従来の飛散防止環と同様に、筒状に形成され、任意の箇所に複数個の透孔２が設けられている。そして、この飛散防止環１をプラスチックマグネットを成形する際の射出成形型３に挿入する。この射出成形型３は、筒状のプラスチックマグネットを成形する型であって、筒状の穴４が設けられている。
【００１６】
図２において、飛散防止環１を射出成形型３内に挿入する際、飛散防止環１の外周面が、成形型の外側面に接面するように挿入する。そして、異方性にするならば成形型に磁場を発生させながら、樹脂、磁粉等をピンゲート５より成形型内に流入させて成形する。
【００１７】
図３において、射出成形完了後、プラスチックマグネット６の外周部と飛散防止環１との結合部では、飛散防止環の透孔２部までの樹脂および磁粉が回り込んでいる。そのため、飛散防止環１は、軸方向への移動、および円周方向への空回りを防止している。
【００１８】
図４において、回転子８は、飛散防止環１と同時成形された筒状のプラスチックマグネット６と、このプラスチックマグネット６の内周部に固着された筒状の回転子ヨーク９と、この回転子ヨーク９の内周部に固着されたシャフト１０で形成されている。
【００１９】
また、本実施例においては、複数個の透孔が設けられた飛散防止環について、説明したが、プラスチックマグネットと飛散防止環との結合部分の形状は、飛散防止環が、軸方向への移動、および円周方向への空回りを防止すればよい。したがって、飛散防止環の形状をメッシュ状に、あるいは飛散防止環の内周面に凹凸を設けた形状にして、メッシュ部、凹凸部に樹脂を回り込ませても同様の効果を得ることができる。
【００２０】
また、ガラス繊維、炭素繊維等、強度的に飛散防止環として使用可能な繊維材を使用し、この繊維材を筒状にして筒状布を形成して、飛散防止環として使用し、この繊維材の隙間に樹脂を回り込ませてもよい。
【００２１】
以上のように、飛散防止環と、プラスチックマグネットとを同時に成形することにより、飛散防止環の隙間、凹凸部、または透孔部にプラスチックマグネットを構成する樹脂が入り込み、飛散防止環と、プラスチックマグネットとの結合を強力にすることができる。
【００２２】
【発明の効果】
プラスチックマグネットの飛散を防止することができると共に、飛散防止環を含めた回転子の外周径の寸法精度をあげることができる。また、飛散防止環とプラスチックマグネットとの取付固定作業が不必要となる。
【００２３】
【図面の簡単な説明】
【図１】飛散防止環を射出成形型に挿入する際の側断面図。
【図２】図１の飛散防止環の挿入後の射出成形型の側断面図。
【図３】本発明におけるプラスチックマグネットと飛散防止環との結合部の拡大側断面図。
【図４】図３のプラスチックマグネットを使用した回転子の斜視図。
【図５】従来における飛散防止環を回転子に取り付ける際の説明をした斜視図。
【図６】飛散防止環の取り付け固定後の飛散防止環とプラスチックマグネットとの結合部の拡大側断面図。
【符号の説明】
１、１５…飛散防止環
２、１６…透孔
３…射出成形型
４…穴
５…ピンゲート
６、１２…プラスチックマグネット
８、１１…回転子
９、１３…回転子ヨーク
１０、１４…シャフト
【図１】
0004039499.tif 000002
【図２】
0004039499.tif 000003
【図３】
0004039499.tif 000004
【図４】
0004039499.tif 000005
【図５】
0004039499.tif 000006
【図６】
0004039499.tif 000007